(57)【要約】【課題】  操作が容易な情報貸金庫システム用の情報入出力装置および情報貸金庫システムを提供する。【解決手段】  ユーザが記録媒体４を受付部１ａに受け付けさせ、かつ、ユーザが認証情報検出部１ｂに自分の認証情報記録媒体５から認証情報を検出させ、かつ、ユーザが認証情報に対応したユーザ認証情報を操作パネル１ｃを操作して入力した場合に、制御部１ｄは、ユーザが操作パネル１ｃから保管指示情報を入力した際には記録媒体４に記録された情報を情報保管部２に保管し、ユーザが操作パネル１ｃから出力指示情報を入力した際には情報保管部２に保管されている情報を記録媒体４に記録する。【選択図】      図３
2005063267.tif 000002
【特許請求の範囲】
【請求項１】
情報を読み書き可能な情報保管部に対して通信回線を介して情報の保管および情報の取り出しを行う情報入出力装置であって、
情報を読み書き可能な記録媒体を受け付ける受付部と、
認証情報が記録された認証情報記録媒体から該認証情報を検出する認証情報検出部と、
情報の保管を指示する保管指示情報、情報の出力を指示する出力指示情報およびユーザ認証情報とが入力されることが可能な情報入力部と、
前記ユーザ認証情報が前記認証情報検出部によって検出された認証情報に対応した情報でありかつ前記保管指示情報が入力された場合には前記受付部が受け付けた記録媒体に記録されている情報を前記情報保管部に保管し、前記ユーザ認証情報が前記認証情報に対応した情報でありかつ前記出力指示情報が入力された場合には前記情報保管部に保管されている情報を該記録媒体に記録する制御部とを含むことを特徴とする情報貸金庫システム用の情報入出力装置。
【請求項２】
請求項１に記載の情報貸金庫システム用の情報入出力装置において、
前記情報保管部は、前記認証情報ごとに割り当てられた情報保管領域を複数有し、
前記制御部は、前記ユーザ認証情報が前記認証情報検出部によって検出された認証情報に対応した情報でありかつ前記保管指示情報が入力された場合には、該認証情報に割り当てられた情報保管領域に保管されている情報の中で前記受付部が受け付けた記録媒体に記録されている情報が存在する際には該情報を該情報保管領域に継続して保管し、該情報保管領域に保管されている情報の中で該記録媒体に記録されていない情報が存在する場合には該情報を該情報保管領域から削除し、該記録媒体に記録されている情報の中で該情報保管領域に保管されていない情報が存在する場合には該情報を該情報保管領域に保管することを特徴とする情報貸金庫システム用の情報入出力装置。
【請求項３】
請求項１または２に記載の情報貸金庫システム用の情報入出力装置において、
前記受付部は、複数種類の記録媒体を受け付けることが可能であることを特徴とする情報貸金庫システム用の情報入出力装置。
【請求項４】
請求項１ないし３のいずれかに記載の情報貸金庫システム用の情報入出力装置において、前記認証情報記録媒体は、認証情報が記録されたキャッシュカードであることを特徴とする情報貸金庫システム用の情報入出力装置。
【請求項５】
請求項１ないし４のいずれかに記載の情報貸金庫システム用の情報入出力装置において、銀行内に設置されていることを特徴とする情報貸金庫システム用の情報入出力装置。
【請求項６】
請求項１ないし５のいずれかに記載の情報貸金庫システム用の情報入出力装置において、現金自動取扱機を含むことを特徴とする情報貸金庫システム用の情報入出力装置。
【請求項７】
情報を読み書き可能な情報保管部と、情報入出力装置とが通信回線を介して情報の保管と情報の取り出しとを行う情報貸金庫システムであって、
前記情報入出力装置は、
情報を読み書き可能な記録媒体を受け付ける受付部と、
認証情報が記録された認証情報記録媒体から該認証情報を検出する認証情報検出部と、
情報の保管を指示する保管指示情報、情報の出力を指示する出力指示情報およびユーザ認証情報とが入力されることが可能な情報入力部と、
前記ユーザ認証情報が前記認証情報検出部によって検出された認証情報に対応した情報でありかつ前記保管指示情報が入力された場合には前記受付部が受け付けた記録媒体に記録されている情報を前記情報保管部に保管し、前記ユーザ認証情報が前記認証情報に対応した情報でありかつ前記出力指示情報が入力された場合には前記情報保管部に保管されている情報を該記録媒体に記録する制御部とを含むことを特徴とする情報貸金庫システム。
【請求項８】
請求項７に記載の情報貸金庫システムにおいて、
前記情報保管部は、前記認証情報ごとに割り当てられた情報保管領域を複数有し、
前記制御部は、前記ユーザ認証情報が前記認証情報検出部によって検出された認証情報に対応した情報でありかつ前記保管指示情報が入力された場合には、該認証情報に割り当てられた情報保管領域に保管されている情報の中で前記受付部が受け付けた記録媒体に記録されている情報が存在する際には該情報を該情報保管領域に継続して保管し、該情報保管領域に保管されている情報の中で該記録媒体に記録されていない情報が存在する場合には該情報を該情報保管領域から削除し、該記録媒体に記録されている情報の中で該情報保管領域に保管されていない情報が存在する場合には該情報を該情報保管領域に保管することを特徴とする情報貸金庫システム。
【請求項９】
請求項７または８に記載の情報貸金庫システムにおいて、
前記受付部は、複数種類の記録媒体を受け付けることが可能であることを特徴とする情報貸金庫システム。
【請求項１０】
請求項７ないし９のいずれかに記載の情報貸金庫システムにおいて、
前記認証情報記録媒体は、認証情報が記録されたキャッシュカードであることを特徴とする情報貸金庫システム。
【請求項１１】
請求項７ないし１０のいずれかに記載の情報貸金庫システムにおいて、
前記受付部と前記認証情報検出部および前記情報入力部とは、銀行内に設置されていることを特徴とする情報貸金庫システム。
【請求項１２】
請求項７ないし１１のいずれかに記載の情報貸金庫システムにおいて、
前記受付部と前記認証情報検出部および前記情報入力部は、現金自動取扱機に併設してあることを特徴とする情報貸金庫システム。
【請求項１３】
請求項７ないし１２のいずれかに記載の情報貸金庫システムにおいて、
情報を読み書き可能な情報保管部をさらに含むことを特徴とする情報貸金庫システム。
【請求項１４】
請求項７または１３に記載の情報貸金庫システムにおいて、
前記情報保管部は、銀行内に設置されていることを特徴とする情報貸金庫システム。
【請求項１５】
情報を読み書き可能な情報保管部に対して通信回線を介して情報の保管および情報の取り出しを行う情報入出力方法であって、
認証情報が記録された認証情報記録媒体から該認証情報を検出するステップと、
ユーザ認証情報を入力するステップと、
前記ユーザ認証情報が前記認証情報に対応した情報であるか否か判断するステップと、
保管を指示する保管指示情報又は出力を指示する出力指示情報を入力するステップと、
情報を読み書き可能な記録媒体を受け付けるステップと、
前記ユーザ認証情報が前記認証情報に対応した情報であると判断した場合、前記保管指示情報が入力されている際には前記記録媒体に記録されている情報を前記情報保管部に記録し、前記出力指示情報が入力されている際には前記情報保管部に保管されている情報を前記記録媒体に記録するステップとを含むことを特徴とする情報貸金庫システム用の情報入力方法。
【請求項１６】
請求項１５に記載の情報貸金庫システム用の情報入出力方法において、
前記情報保管部は、前記認証情報ごとに割り当てられた情報保管領域を複数有し、
前記ユーザ認証情報が該認証情報に対応した情報であると判断した場合に前記保管指示情報が入力されている際には、該認証情報に割り当てられた情報保管領域に保管されている情報の中で前記記録媒体に記録されている情報が存在する際には該情報を該情報保管領域に継続して保管し、該情報保管領域に保管されている情報の中で該記録媒体に記録されていない情報が存在する場合には該情報を該情報保管領域から削除し、該記録媒体に記録されている情報の中で該情報保管領域に保管されていない情報が存在する場合には該情報を該情報保管領域に保管することを特徴とする情報貸金庫システム用の情報入出力方法。
【請求項１７】
情報を読み書き可能な情報保管部に対して通信回線を介して情報の保管および情報の取り出しを行う情報入出力処理をコンピュータに実行させるためのプログラムであって、
認証情報が記録された認証情報記録媒体から該認証情報を検出する処理と、
ユーザ認証情報を入力する処理と、
前記ユーザ認証情報が前記認証情報に対応した情報であるか否か判断する処理と、
保管を指示する保管指示情報又は出力を指示する出力指示情報を入力する処理と、
情報を読み書き可能な記録媒体を受け付ける処理と、
前記ユーザ認証情報が前記認証情報に対応した情報であると判断した場合、前記保管指示情報が入力されている際には前記記録媒体に記録されている情報を前記情報保管部に記録し、前記出力指示情報が入力されている際には前記情報保管部に保管されている情報を前記記録媒体に記録する処理とを含むことを特徴とするプログラム。
【発明の詳細な説明】
【技術分野】
【０００１】
本発明は、情報貸金庫システム用の情報入出力装置、情報貸金庫システム用の情報入出力方法および情報貸金庫システムに関し、特には、銀行に備え付けられた現金自動取扱機を利用してお金の預け入れおよびお金の引き出しを行うときの操作と同じような操作で、情報の預け入れおよび情報の引き出しを行うことが可能な情報貸金庫システム用の情報入出力装置、情報貸金庫システム用の情報入出力方法および情報貸金庫システムに関する。
【背景技術】
【０００２】
近年、家庭内において、パーソナルコンピュータ（以下「ＰＣ」と称する。）のユーザが急増している。特に、主婦および年長者のＰＣユーザが増えている。また、家庭へのＰＣの普及に伴い、家庭で使用しているＰＣ（以下「家庭用ＰＣ」と称する。）に重要な情報、例えば家族写真を保存しておくケースも増えてきている。
【０００３】
ＰＣに保存してある情報は、例えば、ＰＣの操作ミスまたはＰＣの故障またはコンピュータウィルスまたは天災により消失してしまう危険性がある。したがって、ＰＣに保存してある重要な情報が消失してしまうことを回避するために、ＰＣに保存してある情報のバックアップ用データを作成することが重要となる。
【０００４】
しかしながら、家庭用ＰＣに保存されている情報のバックアップ用データを作成することは、あまり実施されていない。よって、家庭用ＰＣの保存されている情報は、例えば、ＰＣの操作ミスまたはＰＣの故障またはコンピュータウィルスまたは災害により消失してしまう危険性が非常に高い。
【０００５】
また、家庭用ＰＣに保存されている情報のバックアップ用データが作成されていても、作成されたバックアップ用データは、家の中で保管されている場合が多い。この場合、家庭用ＰＣとバックアップ用データとがともに家の中に存在するので、例えば、火災が発生すると、家庭用ＰＣに保存されている情報とともにバックアップ用データも消失してしまう可能性が高い。
【０００６】
そこで、従来提案されている情報貸金庫システムに、家庭用ＰＣに保存されている情報のバックアップ用データを保管することが考えられる。
【０００７】
情報貸金庫システムを利用すれば、ユーザは、例えば、家庭用ＰＣに保存されている情報のバックアップ用データを情報貸金庫システムの情報貸金庫に格納することができ、家庭用ＰＣとバックアップ用データとの保管場所とを別々にできるので、例えば、家屋が火災に見舞われた際に、家庭用ＰＣとバックアップ用データとの両方が消失してしまう可能性を低くすることが可能となる。
【０００８】
特許文献１（特開２００３−４４３６２号公報）には、電子情報を保管する電子金庫としてのファイルサーバと、この電子金庫にアクセス可能なクライアント端末とを含む電子貸金庫システムにおいて、本人認証されたユーザによってクライアント端末から送信された電子情報を電子金庫に保管し、この電子金庫に保管されている電子情報を、クライアント端末を介して本人認証されたユーザに対して送信する技術が記載されている。
【０００９】
特許文献２（特開２００１−２３６２５９号公報）には、複数のユーザが使用可能な専用端末を用いてユーザが保管庫に保管する情報を入力し、保管庫に保管されている電子情報をユーザが該専用端末を用いて取り出す貸金庫システムが記載されている。
【特許文献１】特開２００３−４４３６２号公報
【特許文献２】特開２００１−２３６２５９号公報
【発明の開示】
【発明が解決しようとする課題】
【００１０】
特許文献１に記載された電子貸金庫システムの場合、ユーザが使用しているＰＣを用いて電子金庫に接続するため、ユーザは自分が使用しているＰＣを電子金庫に接続するための処理を行わなければならない。この処理は、ＰＣおよびインターネット等の知識を余り有していないユーザにとっては、非常に煩わしい作業となる。
【００１１】
これに対して、特許文献２に記載された貸金庫システムの場合、専用端末が保管庫に接続されているので、ユーザが自分のＰＣを電子金庫に接続する処理を行う必要がなくなり、ユーザの負担を軽減することが可能となる。
【００１２】
しかしながら、特許文献２には、専用端末の操作方法に関する具体的な記載はない。
【００１３】
専用端末は、主婦および年長者およびＰＣの知識を十分有していないユーザなどが利用する可能性があるので、専用端末の操作が複雑だと、ユーザの誤操作が増えてしまうという問題が生じる可能性が生じる。
【００１４】
本発明の目的は、操作が容易な情報貸金庫システム用の情報入出力装置および情報入出力方法および情報貸金庫システムを提供することである。
【課題を解決するための手段】
【００１５】
上記目的を達成するために、本発明の情報貸金庫システム用の情報入出力装置および情報貸金庫システムは、情報を読み書き可能な記録媒体を受け付ける受付部と、認証情報が記録された認証情報記録媒体から該認証情報を検出する認証情報検出部と、情報の保管を指示する保管指示情報、情報の出力を指示する出力指示情報およびユーザ認証情報とが入力されることが可能な情報入力部と、前記ユーザ認証情報が前記認証情報検出部によって検出された認証情報に対応した情報でありかつ前記保管指示情報が入力された場合には前記受付部が受け付けた記録媒体に記録されている情報を前記情報保管部に保管し、前記ユーザ認証情報が前記認証情報に対応した情報でありかつ前記出力指示情報が入力された場合には前記情報保管部に保管されている情報を該記録媒体に記録する制御部とを含むことを特徴とする。
【００１６】
上記の発明によれば、ユーザが記録媒体を受付部に受け付けさせ、かつ、ユーザが認証情報検出部に自分の認証情報記録媒体から認証情報を検出させ、かつ、ユーザが認証情報に対応したユーザ認証情報を入力した場合、ユーザが保管指示情報を入力した際には、制御部は、記録媒体に記録された情報を情報保管部に保管し、ユーザが出力指示情報を入力した際には制御部は情報保管部に保管されている情報を記録媒体に記録するので、ユーザが行う操作が既存の現金自動取扱機の操作と同じようになり、情報貸金庫システム用の情報入出力装置の操作が容易になる。
【００１７】
また、本発明の情報貸金庫システム用の情報入出力装置および情報貸金庫システムは、前記情報保管部は、前記認証情報ごとに割り当てられた情報保管領域を複数有し、前記制御部は、前記ユーザ認証情報が前記認証情報検出部によって検出された認証情報に対応した情報でありかつ前記保管指示情報が入力された場合には、該認証情報に割り当てられた情報保管領域に保管されている情報の中で前記受付部が受け付けた記録媒体に記録されている情報が存在する際には該情報を該情報保管領域に継続して保管し、該情報保管領域に保管されている情報の中で該記録媒体に記録されていない情報が存在する場合には該情報を該情報保管領域から削除し、該記録媒体に記録されている情報の中で該情報保管領域に保管されていない情報が存在する場合には該情報を該情報保管領域に保管することを特徴とする。
【００１８】
上記の発明によれば、制御部は、自動的に、認証情報検出部によって検出された認証情報に割り当てられた情報保管領域に保管されている情報の中で前記受付部が受け付けた記録媒体に記録されている情報を情報保管領域に継続して保管し、情報保管領域に保管されている情報の中で記録媒体に記録されていない情報を情報保管領域から削除し、記録媒体に記録されている情報の中で情報保管領域に保管されていない情報を情報保管領域に保管するので、例えば、情報保管領域に新たに保管すべき情報をユーザが選択する必要がなくなり、情報保管領域に保存されている情報の更新作業の簡略化が図れる。
【００１９】
また、前記受付部が、複数種類の記録媒体を受け付けることが可能であることが望ましい。受付部が、複数種類の記録媒体を受け付けることが可能となれば、ユーザが情報入出力部において使用できる記録媒体の種類が多くなり、ユーザが好む記録媒体を使うことができる可能が高くなる。
【００２０】
また、前記認証情報記録媒体は、認証情報が記録されたキャッシュカードであることが望ましい。認証情報記録媒体が、認証情報が記録されたキャッシュカードであれば、ユーザは、認証情報記録媒体として、例えば銀行のキャッシュカードを使用することが可能となり、１枚のキャッシュカードをお金の預け入れと情報の預け入れとに使用することが可能となる。
【００２１】
また、前記情報入出力装置は、銀行内に設置されていることが望ましい。また、前記受付部と前記認証情報検出部および前記情報入力部とは、銀行内に設置されていることが望ましい。情報入出力装置、または受付部と認証情報検出部および情報入力部とが銀行内に設置されていれば、ユーザは、セキュリティの高い空間で、情報の保存および情報の取り出しを行うことが可能となる。
【００２２】
また、前記情報入出力装置は、現金自動取扱機を含むことが望ましい。また、前記受付部と前記認証情報検出部および前記情報入力部とは、現金自動取扱機に併設してあることが望ましい。情報入出力装置が現金自動取扱機を含めば、情報入出力装置で、お金の預け入れと情報の預け入れとを行うことが可能となる。また、受付部と認証情報検出部および情報入力部が現金自動取扱機に併設してあれば、現金自動取扱機で、お金の預け入れと情報の預け入れとを行うことが可能となる。
【００２３】
また、前記情報保管部は、銀行内に設置されていることが望ましい。情報保管部が銀行内に設置されていれば、情報保管部をセキュリティの高い空間に設置することが可能となる。
【００２４】
また、本発明の情報貸金庫システム用の情報入出力方法は、情報を読み書き可能な情報保管部に対して通信回線を介して情報の保管および情報の取り出しを行う情報入出力方法であって、認証情報が記録された認証情報記録媒体から該認証情報を検出するステップと、ユーザ認証情報を入力するステップと、前記ユーザ認証情報が前記認証情報に対応した情報であるか否か判断するステップと、保管を指示する保管指示情報又は出力を指示する出力指示情報を入力するステップと、情報を読み書き可能な記録媒体を受け付けるステップと、前記ユーザ認証情報が前記認証情報に対応した情報であると判断した場合、前記保管指示情報が入力されている際には前記記録媒体に記録されている情報を前記情報保管部に記録し、前記出力指示情報が入力されている際には前記情報保管部に保管されている情報を前記記録媒体に記録するステップとを含むことを特徴とする。
【００２５】
上記の発明によれば、ユーザが記録媒体を受け付けさせ、かつ、ユーザが自分の認証情報記録媒体から認証情報を検出させ、かつ、ユーザが認証情報に対応したユーザ認証情報を入力した場合、ユーザが保管指示情報を入力した際には記録媒体に記録された情報を情報保管部に保管し、ユーザが出力指示情報を入力した際には情報保管部に保管されている情報を記録媒体に記録するので、ユーザが行う操作が既存の現金自動取扱機の操作と同じようになり、情報貸金庫システム用の情報入出力の操作が容易になる。
【００２６】
また、本発明の情報貸金庫システム用の情報入出力方法は、前記情報保管部は、前記認証情報ごとに割り当てられた情報保管領域を複数有し、前記ユーザ認証情報が該認証情報に対応した情報であると判断した場合に前記保管指示情報が入力されている際には、該認証情報に割り当てられた情報保管領域に保管されている情報の中で前記受付部が受け付けた記録媒体に記録されている情報が存在する際には該情報を該情報保管領域に継続して保管し、該情報保管領域に保管されている情報の中で該記録媒体に記録されていない情報が存在する場合には該情報を該情報保管領域から削除し、該記録媒体に記録されている情報の中で該情報保管領域に保管されていない情報が存在する場合には該情報を該情報保管領域に保管することを特徴とする。
【００２７】
上記の発明によれば、自動的に、認証情報に割り当てられた情報保管領域に保管されている情報の中で受け付けた記録媒体に記録されている情報を情報保管領域に継続して保管し、情報保管領域に保管されている情報の中で記録媒体に記録されていない情報を情報保管領域から削除し、記録媒体に記録されている情報の中で情報保管領域に保管されていない情報を情報保管領域に保管するので、例えば、情報保管領域に新たに保管すべき情報をユーザが選択する必要がなくなり、情報保管領域に保存されている情報の更新作業の簡略化が図れる。
【発明の効果】
【００２８】
本発明によれば、ユーザが記録媒体を受付部に受け付けさせ、かつ、ユーザが認証情報検出部に自分の認証情報記録媒体から認証情報を検出させ、かつ、ユーザが認証情報に対応したユーザ認証情報を入力した場合、ユーザが保管指示情報を入力した際には、制御部は、記録媒体に記録された情報を情報保管部に保管し、ユーザが出力指示情報を入力した際には制御部は情報保管部に保管されている情報を記録媒体に記録するので、ユーザが行う操作が既存の現金自動取扱機の操作と同じようになり、情報貸金庫システム用の情報入出力装置の操作が容易になる。
【発明を実施するための最良の形態】
【００２９】
以下、本発明の一実施例を図面を参照して説明する。
【００３０】
図１は、本発明の一実施例の情報貸金庫システムを示したブロック図である。
【００３１】
本実施例では、銀行が情報貸金庫システムを運営し、銀行が情報貸金庫システムのユーザから情報貸金庫システムの利用料を徴収する。なお、情報貸金庫システムの運営業者は、銀行に限るものではない。しかしながら、情報貸金庫システムの運営業者が銀行であると、銀行の管理体制に対するユーザの信用が既に構築されているので、ユーザにとって安心して利用できる情報貸金庫システムを提供することが可能となる。
【００３２】
図１において、情報貸金庫システムは、情報入出力装置（データディスペンサ）１と情報貸金庫としての情報保管部２とを含む。情報貸金庫システムは、情報を読み書き可能な情報保管部２を用いて情報の保管および情報の取り出しとを行う。
【００３３】
情報入出力装置１は、運営業者としての銀行により提供され、銀行専用の行内通信網３を介して情報保管部２と接続している。なお、情報入出力装置１は、インターネット等のオープンな通信ネットを介して情報保管部２と常時接続してもよい。しかしながら、情報入出力装置１が、銀行専用の行内通信網３のような専用線を介して情報保管部２と接続している場合、情報入出力装置１と情報保管部２との間で情報が第３者に漏洩してしまう可能性を低くできる。
【００３４】
本実施例では、情報入出力装置１は、既存の現金自動取扱機１０１と同様に銀行１００内に設置されている。なお、情報入出力装置１の設置場所は、銀行内に限るものではない。しかしながら、銀行内は、頑丈な建物で守られ、警備員（ガードマン）１０３が配置されている可能性があり、監視カメラ１０４が設置されている可能性が高いので、非常にセキュリティの高い空間である。また、銀行は、一般の人々が日常使用可能な空間である。したがって、情報入出力装置１が銀行内に設置されれば、ユーザ２００は、身近なセキュリティが高い空間で、重要な情報を保管する保管作業および重要な情報を取り出す取り出し作業を行うことが可能となる。
【００３５】
情報保管部２は、情報入出力装置１によって制御される。本実施例では、情報保管部２は、既存のキャッシュ金庫１０２と同様に銀行内に設置されている。なお、情報保管部２の設置場所は、銀行内に限るものではない。しかしながら、情報保管部２が銀行内に設置されれば、セキュリティの非常に高い空間に情報保管部２を設置することが可能となり、情報保管部２から情報が盗まれたり、情報保管部２が破壊されたりする可能性が小さくなり、情報貸金庫システムの信頼性の向上が図れる。
【００３６】
図２は、情報入出力装置１の外観を示した説明図である。
【００３７】
図２において、情報入出力装置１は、受付部１ａと、認証情報検出部１ｂと、情報入力部としての操作パネル１ｃとを含む。なお、情報入力部は、操作パネルに限るものではなく、適宜変更可能であり、例えば、情報入力部としてキー入力部を用いてもよい。
【００３８】
受付部１ａは、ユーザが用意した記録媒体４を受け付ける。
【００３９】
なお、ユーザが情報保管部２に所望の情報（例えば、家庭用ＰＣが保存している情報のバックアップ用データ、または家庭用ＰＣのマイドキュメントフォルダに格納してある情報、またはデジタルスチルカメラで撮影した映像情報など）を保管したい場合、ユーザは該所望の情報を記録してある記録媒体４を受付部１ａに受け付けさせる。
【００４０】
また、ユーザが情報保管部２に保管されている情報を取り出したい場合、例えば、ユーザは、取り出したい情報を記録可能な記録媒体４を受付部１ａに受け付けさせる。
【００４１】
本実施例では、受付部１ａは、複数種類の記録媒体４を受け付けることが可能である。      
【００４２】
具体的には、受付部１ａは、ＣＤ−Ｒ受付部１ａ１と、ＤＶＤ−Ｒ受付部１ａ２と、ＦＤ（フロッピーディスク）受付部１ａ３と、ＭＯ受付部１ａ４と、リムーバブルディスク受付部１ａ５とを含む。なお、リムーバブルディスクとは、例えばＰＣのハードディスクとして使用でき、かつＰＣに着脱可能な記憶装置である。
【００４３】
ＣＤ−Ｒ受付部１ａ１は、記録媒体としてのＣＤ−Ｒを受け付ける。ＤＶＤ−Ｒ受付部１ａ２は、記録媒体としてのＤＶＤ−Ｒを受け付ける。ＦＤ受付部１ａ３は、記録媒体としてのＦＤを受け付ける。ＭＯ受付部１ａ４は、記録媒体としてＭＯを受け付ける。リムーバブルディスク受付部１ａ５は、記録媒体としてのリムーバルディスクを受け付ける。
【００４４】
なお、受付部１ａが受け付けることが可能な記録媒体は上記に限るものではなく、適宜変更可能である。
【００４５】
受付部１ａは複数種類の記録媒体４を受け付けることが可能なので、情報貸金庫システムにおいてユーザが使用できる記録媒体の種類が多くなり、ユーザが好む記録媒体を情報貸金庫システムで使うことができる可能が高くなる。
【００４６】
認証情報検出部１ｂは、認証情報が記録された認証情報記録媒体５から該認証情報を検出する。
【００４７】
例えば、認証情報として暗証番号が認証情報記録媒体５に記録されている場合、認証情報検出部１ｂは、認証情報記録媒体５に記録されている暗証番号を検出する。
【００４８】
また、認証情報検出部１ｂは、運営業者の銀行がユーザに対して発行した認証情報記録媒体としてのキャッシュカード５から、このキャッシュカード５に記録された認証情報を読み出すものでもよい。
【００４９】
認証情報記録媒体５として認証情報が記録されたキャッシュカードを用いると、ユーザは、１枚のキャッシュカードをお金の預け入れと情報の預け入れとに使用することが可能となる。
【００５０】
なお、キャッシュカードに記録されている認証情報は、例えば、暗証番号でもよく、キャッシュカード５の所有者を識別するためのユーザ識別情報でもよい。
【００５１】
操作パネル１ｃは、ユーザによって操作されることにより種々の情報が入力される。例えば、ユーザが操作パネル１ｃを操作することによって、情報の保管を指示する保管指示情報、または情報の出力を指示する出力指示情報、または暗証番号等のユーザ認証情報が入力される。なお、暗証番号等のユーザ認証情報は、ユーザおよび情報貸金庫システムにおいて認証情報と予め対応づけられている。
【００５２】
本実施例では、操作パネル１ｃとして、種々の画面を表示可能なタッチ入力式の操作パネルを用いる。なお、操作パネル１ｃは、タッチ入力式の操作パネルに限るものではなく、適宜変更可能である。
【００５３】
本実施例によれば、情報入出力装置１の外観を既存の現金自動取扱機の外観と似たようにすることができるので、情報貸金庫システムのユーザが情報入出力装置１の外観を見れば、該ユーザはその操作内容を予測することが可能となり、ユーザにとって操作しやすい情報入出力装置１を提供することが可能となる。
【００５４】
図３は、図１に示した情報貸金庫システムの一例を示したブロック図である。なお、図３において、図１または図２と同一構成のものには、同一符号を付してある。
【００５５】
図３において、情報入出力装置１は、受付部１ａと、認証情報検出部１ｂと、操作パネル１ｃと、制御部１ｄとを含む。制御部１ｄは、コンピュータ１ｄ１とメモリ１ｄ２とを含む。
【００５６】
情報保管部２は、認証情報記録媒体５に記録された認証情報ごとに割り当てられた情報保管領域２ａを複数有している。
【００５７】
制御部１ｄは、銀行により管理され、情報貸金庫システム全体を制御する。
【００５８】
例えば、制御部１ｄは、操作パネル１ｃから入力されたユーザ認証情報が認証情報検出部１ｂによって検出された認証情報に対応した情報である場合、操作パネル１ｃから保管指示情報が入力された際には受付部１ａが受け付けた記録媒体４に記録されている情報を情報保管部２に保管し、操作パネル１ｃから出力指示情報が入力された際には情報保管部２に保管されている情報を受付部１ａが受け付けた記録媒体４に記録する。
【００５９】
具体的には、制御部１ｄは、操作パネル１ｃから入力されたユーザ認証情報が、認証情報検出部１ｂによって検出された認証情報に対応した情報であるか否か判断する。
【００６０】
制御部１ｄは、操作パネル１ｃから入力されたユーザ認証情報が認証情報検出部１ｂによって検出された認証情報に対応した情報であると判断した場合、操作パネル１ｃを操作したユーザが情報貸金庫システムの正式のユーザであると認証する。
【００６１】
制御部１ｄは、操作パネル１ｃを操作したユーザが情報貸金庫システムの正式のユーザであると認証した場合、操作パネル１ｃから保管指示情報が入力されている際には受付部１ａが受け付けた記録媒体４に記録されている情報を情報保管部２に保管し、操作パネル１ｃから出力指示情報が入力されている際には情報保管部２に保管されている情報を受付部１ａが受け付けた記録媒体４に記録する。
【００６２】
また、例えば、制御部１ｄは、操作パネル１ｃから入力されたユーザ認証情報が認証情報検出部１ｂによって検出された認証情報に対応した情報である場合に操作パネル１ｃから保管指示情報が入力された際には、以下の動作を実行する。
【００６３】
制御部１ｄは、該認証情報に割り当てられた情報保管領域２ａに保管されている情報の中で受付部１ａが受け付けた記録媒体４に記録されている情報が存在した場合、該情報を該情報保管領域２ａに継続して保管する。
【００６４】
制御部１ｄは、該情報保管領域２ａに保管されている情報の中で記録媒体４に記録されていない情報が存在した場合、該情報を該情報保管領域２ａから削除する。
【００６５】
制御部１ｄは、記録媒体４に記録されている情報の中で該情報保管領域２ａに保管されていない情報が存在した場合、該情報を該情報保管領域２ａに保管する。
【００６６】
なお、キャッシュカード５にユーザ識別情報が記録されている場合、運営業者はユーザ識別情報と該ユーザ識別情報に対応づけられた暗証番号とを関連づけて記憶する認証データベースを設け、制御部１ｄがこの認証データベースを用いて、認証情報検出部１ｂが検出したユーザ識別情報に対応づけられた暗証番号を取得するようにすることが望ましい。
【００６７】
なお、認証データベースは、制御部１ｄ内に設けてもよいし、制御部１ｄと通信可能な認証情報管理センター内に設けてもよい。
【００６８】
図４は、認証情報管理センター内に認証データベースを設けた場合の一例を示したブロック図である。なお、図４において、図３と同一構成にものには同一符号を附してある。また、図４において、制御部１ｄについては、認証に関連する構成のみを記載してある。
【００６９】
図４において、ユーザ識別情報と該ユーザ識別情報に対応づけられた暗証番号とを関連づけて記憶する認証データベース８が認証情報管理センター７内に設けてある。
【００７０】
制御部１ｄは、認証情報比較部１ｄａと、認証情報通信部1ｄｂとを含む。
【００７１】
認証情報通信部１ｄｂは、認証情報記録媒体５に記録されているユーザ識別情報を認証情報検出部１ｂから受け取ると、受け取ったユーザ識別情報を認証情報管理センター７に送信する。
【００７２】
認証情報管理センター７は、ユーザ識別情報を受け取ると、受け取ったユーザ識別情報に関連づけられている暗証番号を認証データベース８から読み出し、読み出した暗証番号を認証情報通信部１ｄｂに送信する。
【００７３】
認証情報通信部１ｄｂは、暗証番号を受け取ると、受け取った暗証番号を認証情報比較部１ｄａに供給する。
【００７４】
認証情報比較部１ｄａは、認証情報通信部から受け取った暗証番号と、ユーザ認証情報入力部としての操作パネル１ｃから入力された暗証番号とを比較し、認証情報通信部から受け取った暗証番号と、ユーザ認証情報入力部としての操作パネル１ｃから入力された暗証番号とが一致しているか否か、つまり、操作パネル１ｃから入力されたユーザ認証情報が、認証情報検出部１ｂによって検出された認証情報に対応した情報であるか否か判断する。
【００７５】
なお、制御部１ｄが行う制御、さらに言えば、情報入力装置１が行う動作は、実際には、コンピュータ１ｄ１によって制御されて実行される。メモリ１ｄ２は、制御部１ｄが行う動作、さらに言えば、情報入力装置１が行う動作をコンピュータ１ｄ１に実行させるプログラムが記録されている。コンピュータ１ｄ１は、メモリ１ｄ２に記録されているプログラムを読み出し、読み出したプログラムにしたがって制御部１ｄが行う動作、さらに言えば、情報入力装置１が行う動作を制御して実行させる。
【００７６】
図５は、情報貸金庫システムの動作を説明するためのフローチャートである。以下、図５を参照して情報貸金庫システムの動作を説明する。
【００７７】
制御部１ｄは、動作を開始すると、受付部１ａと認証情報検出部１ｂと操作パネル１ｃとの動作を開始させ、情報貸金庫システムが実行可能な情報の取引内容をユーザが選択可能な取引内容選択画面を操作パネル１ｃに表示させる（ステップ５ａ）。なお、本実施例では、情報貸金庫システムが実行可能な情報の取引内容は、情報の入庫（データ預入れ）と、情報の出庫（データ引出し）と、入庫されている情報の確認である。
【００７８】
図６は、操作パネル１ｃに表示される取引内容選択画面の一例を示した説明図である。
【００７９】
ユーザは、操作パネル１ｃを操作することによって、表示された取引内容選択画面の中からユーザが行いたい取引内容を選択する。例えば、図６に示す取引内容選択画面が操作パネル１ｃに表示される場合、ユーザは、ユーザが行いたい取引内容を表示している箇所に触れることによって、ユーザが行いたい取引内容を選択する。
【００８０】
ユーザが取引内容を選択する動作は、既存の現金自動取扱機を操作する際の動作とほぼ同じなので、情報貸金庫システムおよび情報貸金庫システム用の情報入出力装置の操作が容易になる。
【００８１】
ユーザが、操作パネル１ｃを操作することによって情報の入庫を選択すると、操作パネル１ｃは、制御部１ｄの制御に基づき、情報の入庫を示す情報入庫指示信号を制御部１ｄに出力する。換言すると、操作パネル１ｃは、制御部１ｄの制御に基づき、情報入庫指示信号を制御部１ｄに入力する。
【００８２】
また、ユーザが、操作パネル１ｃを操作することによって情報の出庫を選択すると、操作パネル１ｃは、制御部１ｄの制御に基づき、情報の出庫を示す情報出庫指示信号を制御部１ｄに出力する。換言すると、操作パネル１ｃは、制御部１ｄの制御に基づき、情報入庫指示信号を制御部１ｄに入力する。
【００８３】
また、ユーザが、操作パネル１ｃを操作することによって入庫情報の確認を選択すると、操作パネル１ｃは、制御部１ｄの制御に基づき、入庫情報の確認を示す入庫情報確認指示信号を制御部１ｄに出力する。換言すると、操作パネル１ｃは、制御部１ｄの制御に基づき、入庫情報確認指示信号を制御部１ｄに入力する。
【００８４】
制御部１ｄは、情報入庫指示信号または情報出庫指示信号または入庫情報確認指示信号を受けると（ステップ５ｂ）、記録媒体４と認証情報記録媒体５とユーザ認証情報を要求する認証要求画面を操作パネル１ｃに表示させる（ステップ５ｃ）。
【００８５】
図７は、操作パネル１ｃに表示される認証要求画面の一例を示した説明図である。
【００８６】
ユーザは、認証要求画面の表示内容にしたがい、ユーザが用意しておいた記録媒体４を受付部１ａに受け付けさせ、さらに、認証情報検出部１ｂに自分の認証情報記録媒体５から認証情報を検出させ、さらに、操作パネル１ｃを操作して認証情報に対応した暗証番号等のユーザ認証情報を入力する。
【００８７】
認証要求画面の表示内容にしたがってユーザが行う動作は、既存の現金自動取扱機を操作する際の動作とほぼ同じなので、情報貸金庫システムおよび情報貸金庫システム用の情報入出力装置の操作が容易になる。
【００８８】
ユーザが記録媒体４を受付部１ａに受け付けさせると、受付部１ａは、記録媒体４を受け付けたことを示す記録媒体受付信号を制御部１ｄに出力する。また、ユーザが自分の認証情報記録媒体５に記録されている認証情報を認証情報検出部１ｂに検出させると、認証情報検出部１ｂは、検出した認証情報を制御部１ｄに出力する。また、ユーザが操作パネル１ｃを操作して認証情報に対応した暗証番号等のユーザ認証情報を入力すると、操作パネル１ｃは、制御部１ｄの制御に基づき、入力された暗証番号等のユーザ認証情報を制御部１ｄに出力する。換言すると、換言すると、操作パネル１ｃは、制御部１ｄの制御に基づき、ユーザ認証情報を制御部１ｄに入力する。
【００８９】
制御部１ｄは、記録媒体受付信号と認証情報とユーザ認証情報とのすべてを受けるまで、認証要求画面の表示を継続する（ステップ５ｃ、ステップ５ｄ）。
【００９０】
制御部１ｄは、記録媒体受付信号と認証情報とユーザ認証情報とを受け取ると（ステップ５ｄ）、受け取ったユーザ認証情報が、受け取った認証情報に対応した情報であるか否か判断する（ステップ５ｅ）。
【００９１】
例えば、受け取ったユーザ認証情報が暗証番号で、認証情報記録媒体５から検出した認証情報が暗証番号の場合、受け取ったユーザ認証情報としての暗証番号と、認証情報記録媒体５から検出した認証情報としての暗証番号とが一致しているか否か判断する。なお、ステップ５ｅで制御部１ｄが行う動作は、図４に示した認証データべース８を用いて行ってもよい。
【００９２】
制御部１ｄは、受け取ったユーザ認証情報が、受け取った認証情報に対応した情報でない場合、例えば、受け取ったユーザ認証情報としての暗証番号と、認証情報記録媒体５から検出した認証情報としての暗証番号とが異なる場合、操作パネル１ｃを操作しているユーザが不正なユーザであると判断して動作を終了する（ステップ５ｅ）。
【００９３】
制御部１ｄは、受け取ったユーザ認証情報が、受け取った認証情報に対応した情報であると判断すると（ステップ５ｅ）、例えば、受け取ったユーザ認証情報としての暗証番号と、認証情報記録媒体５から検出した認証情報としての暗証番号とが一致している場合、情報入庫指示信号を受け取っている際には（ステップ５ｆ）、入庫する情報をユーザが選択できる入庫情報選択画面を操作パネル１ｃに表示させる（ステップ５ｇ）。
【００９４】
例えば、入庫情報選択画面は、記録媒体４に記録されている情報のファイル名を全て表示し、表示したファイル名の中から情報保管部２に保管したい情報を選択可能な画面である。
【００９５】
図８は、操作パネル１ｃに表示される入庫情報選択画面の一例を示した説明図である。
【００９６】
ユーザは、入庫情報選択画面の表示内容にしたがって操作パネル１ｃを操作して、情報保管部２に保管したい情報、すなわち入庫する情報（例えば、入庫する情報のファイル名）を選択する。例えば、図８に示す入庫情報選択画面が操作パネル１ｃに表示される場合、ユーザは、入庫したい情報を表示している箇所に触れることによって、入庫する情報を選択する。
【００９７】
ユーザが操作パネル１ｃを操作して入庫する情報を選択すると、操作パネル１ｃは、選択された情報（例えば、入庫する情報のファイル名）を制御部１ｄに出力する（ステップ５ｈ）。
【００９８】
制御部１ｄは、ステップ５ｈで選択された情報を受付部１ａを介して記録媒体４から読み出し、読み出した情報がステップ５ｄで受け付けた認証情報に割り当てられた情報格納領域２ａに保管されている情報に追加されるように、読み出した情報を該情報格納領域２ａに保管する（ステップ５ｉ）。
【００９９】
また、制御部１ｄは、ステップ５ｅにおいて、受け取ったユーザ認証情報が、受け取った認証情報に対応した情報であると判断した場合に、情報出庫指示信号を受け取っている際には（ステップ５ｆ、５ｊ）、出庫する情報をユーザが選択できる出庫情報選択画面を操作パネル１ｃに表示させる（ステップ５ｋ）。
【０１００】
例えば、出庫情報選択画面は、認証情報検出部１ｂが検出した認証情報に割り当てられている情報保管領域２ａに保管されている情報のファイル名を全て表示し、表示したファイル名の中から記録媒体４に記録したい情報を選択可能な画面である。
【０１０１】
図９は、操作パネル１ｃに表示される出庫情報選択画面の一例を示した説明図である。
【０１０２】
ユーザは、出庫情報選択画面の表示内容にしたがって操作パネル１ｃを操作して、情報保管部２から読み出したい情報、すなわち出庫する情報（例えば、出庫する情報のファイル名）を選択する。例えば、図９に示す出庫情報選択画面が操作パネル１ｃに表示される場合、ユーザは、出庫したい情報を表示している箇所に触れることによって、出庫する情報を選択する。
【０１０３】
ユーザが操作パネル１ｃを操作して出庫する情報を選択すると、操作パネル１ｃは、選択された情報（例えば、出庫する情報のファイル名）を制御部１ｄに出力する（ステップ５ｌ）。
【０１０４】
制御部１ｄは、ステップ５ｌで選択された情報を、ステップ５ｄで受け付けた認証情報に割り当てられた情報格納領域２ａから読み出し、読み出した情報を、受付部１ａを介して記録媒体４に記録する（ステップ５ｍ）。
【０１０５】
また、制御部１ｄは、ステップ５ｅにおいて、受け取ったユーザ認証情報が、受け取った認証情報に対応した情報であると判断した場合に、入庫情報確認指示信号を受け取っている際には（ステップ５ｆ、５ｊ）、確認する情報をユーザが選択できる確認情報選択画面を操作パネル１ｃに表示させる（ステップ５ｎ）。
【０１０６】
例えば、確認情報選択画面は、認証情報検出部１ｂが検出した認証情報に割り当てられている情報保管領域２ａに保管されている情報のファイル名を全て表示し、表示したファイル名の中から内容を確認したい情報を選択可能な画面である。
【０１０７】
図１０は、操作パネル１ｃに表示される確認情報選択画面の一例を示した説明図である。
【０１０８】
ユーザは、確認情報選択画面の表示内容にしたがって操作パネル１ｃを操作して、情報保管部２に保管されている情報の中で内容を確認したい情報（例えば、内容を確認したい情報のファイル名）を選択する。例えば、図１０に示す確認情報選択画面が操作パネル１ｃに表示される場合、ユーザは、確認したい情報を表示している箇所に触れることによって、確認したい情報を選択する。
【０１０９】
ユーザが操作パネル１ｃを操作して確認したい情報を選択すると、操作パネル１ｃは、選択された情報（例えば、確認したい情報のファイル名）を制御部１ｄに出力する（ステップ５ｏ）。
【０１１０】
制御部１ｄは、選択された情報を、ステップ５ｄで受け付けた認証情報に割り当てられた情報格納領域２ａから読み出し、読み出した情報の全てを表示パネル１ｃに表示する（ステップ５ｐ）。
【０１１１】
本実施例では、ユーザが記録媒体４を受付部１ａに受け付けさせ、かつ、ユーザが認証情報検出部１ｂに自分の認証情報記録媒体５から認証情報を検出させ、かつ、ユーザが認証情報に対応したユーザ認証情報を操作パネル１ｃを操作して入力した場合に、制御部１ｄは、ユーザが操作パネル１ｃから保管指示情報を入力した際には記録媒体４に記録された情報を情報保管部２に保管し、ユーザが操作パネル１ｃから出力指示情報を入力した際には情報保管部２に保管されている情報を記録媒体４に記録するので、ユーザが行う操作が既存の現金自動取扱機の操作と同じようになり、情報貸金庫システム用の情報入出力装置の操作が容易になる。
【０１１２】
また、図５に示した動作において、受付部１ａが受け付けた記録媒体４に記録されている情報の全てを、認証情報検出部が検出した認証情報に割り当てられた情報格納領域２ａに格納するようにしてもよい。この場合、制御部１ｄは、図５に示すステップ５ｆでＹｅｓと判断した後、受付部１ａが受け付けた記録媒体４に記録されている情報の全てを、認証情報検出部１ｂが検出した認証情報に割り当てられた情報格納領域２ａに格納し、動作を終了するようにすればよい。
【０１１３】
また、制御部１ｄがステップ５ｆでＹｅｓと判断した際には、制御部１ｄが、該認証情報に割り当てられた情報保管領域２ａに保管されている情報の中で受付部１ａが受け付けた記録媒体４に記録されている情報を該情報保管領域２ａに継続して保管し、該情報保管領域２ａに保管されている情報の中で記録媒体４に記録されていない情報を該情報保管領域２ａから削除し、記録媒体４に記録されている情報の中で該情報保管領域２ａに保管されていない情報を該情報保管領域２ａに保管するようにしてもよい。図１１は、この動作を説明するためのフローチャートである。
【０１１４】
以下、図１１を参照して動作を説明する。なお、図１１において、図５と同じ処理には、同一符号を附してある。説明を簡単にするために、図５と異なる動作となるステップ１１ａについて説明する。
【０１１５】
制御部１ｄは、受け取ったユーザ認証情報が、受け取った認証情報に対応した情報であると判断すると（ステップ５ｅ）、情報入庫指示信号を受け取っている際には（ステップ５ｆ）、以下のような動作を行う。
【０１１６】
制御部１ｄは、該認証情報に割り当てられた情報保管領域２ａに保管されている情報の中で受付部１ａが受け付けた記録媒体４に記録されている情報があれば該情報を該情報保管領域２ａに継続して保管し、該情報保管領域２ａに保管されている情報の中で記録媒体４に記録されていない情報があれば該情報を該情報保管領域２ａから削除し、記録媒体４に記録されている情報の中で該情報保管領域２ａに保管されていない情報があれば該情報を該情報保管領域２ａに保管する（ステップ１１ａ）。
【０１１７】
ステップ１１ａを行う情報貸金庫システムは、認証情報検出部１ｂによって検出された認証情報に割り当てられた情報保管領域２ａに保管されている情報の中で受付部１ａが受け付けた記録媒体４に記録されている情報を該情報保管領域２ａに継続して保管し、該情報保管領域２ａに保管されている情報の中で記録媒体４に記録されていない情報を該情報保管領域２ａから削除し、記録媒体４に記録されている情報の中で該情報保管領域２ａに保管されていない情報を該情報保管領域２ａに保管するので、例えば、情報保管領域２ａに新たに保管すべき情報をユーザが選択する必要がなくなり、情報保管領域２ａに保存されている情報の更新作業の簡略化が図れる。
【０１１８】
また、例えば、家庭用ＰＣに保存されている情報のバックアップ用データを情報保管領域２ａに保管している場合、情報保管領域２ａにバックアップ用データを保管するたびに、家庭用ＰＣに保存されている情報と情報保管領域２ａに保管している情報との間の異なる部分をユーザが確認する必要がなくなり、情報保管領域２ａにバックアップ用データを保管する際にユーザが行う作業を軽減することが可能となる。
【０１１９】
また、受付部１ａがリムーバブルディスクを受け付けた際に、図１１を参照して説明した動作を制御部１ｄが行うと、例えばＰＣのバックアップ用データを簡単に情報保管部２に保存することが可能となる。
【０１２０】
また、情報入力装置１が現金自動取扱機１０１を含む（例えば、情報入力装置１と現金自動取扱機１０１とが共通の枠体を使用している装置）ようにしてもよい。この場合、情報入出力装置で、お金の預け入れと情報の預け入れとを行うことが可能となる。例えば、いわゆるコンビニエンスストアに設置されている現金自動取扱機を情報入力装置１０が含むようにしてもよい。
【０１２１】
また、情報貸金庫システムが実行可能な情報の取引内容が、情報の入庫（データ預入れ）と情報の出庫（データ引出し）のみの場合は、図５または図１１のステップ５ａで制御部１ｄが操作パネル１ｃに表示させる取引内容選択画面は、ユーザに、情報の入庫（データ預入れ）と情報の出庫（データ引出し）とのいずれかを選択させる画面でよい。
【０１２２】
図１２は、ユーザに、情報の入庫（データ預入れ）と情報の出庫（データ引出し）とのいずれかを選択させる画面の一例を示した説明図である。
【０１２３】
また、図５または図１１のステップ５ｃで、制御部１ｄが操作パネル１ｃに表示させる認証要求画面は、記録媒体４と認証情報記録媒体５とユーザ認証情報とを一度に要求する画面に限るものではない。例えば、制御部１ｄが、記録媒体４を要求する画面と、認証情報記録媒体５を要求する画面と、ユーザ認証情報を要求する画面とを別々に操作パネル１ｃに表示させるようにしてもよい。
【０１２４】
図１３は、ユーザ認証情報としての暗証番号を要求する画面の一例を示した説明図である。
【０１２５】
また、情報保管領域２ａが、複数種類の所定情報保管領域を有していてもよく、ユーザが、情報保管領域２ａが有する複数種類の所定情報保管領域のいずれかを使用するかを選択可能としてもよい。
【０１２６】
例えば、１つの情報格納領域２ａが、アルバム用保管領域（アルバム保管用金庫）とメール用保管領域（メール保管用金庫）を有していた場合、制御部１ｄは、図５または図１１のステップ５ｅでＹｅｓと判断した際、ユーザがアルバム用保管領域（アルバム保管用金庫）とメール用保管領域（メール保管用金庫）とのいずれかを選択可能な金庫選択画面を操作パネル１ｃに表示させ、ユーザがアルバム用保管領域（アルバム保管用金庫）とメール用保管領域（メール保管用金庫）とのいずれかを選択した際に、選択した領域を使用可能にする。
【０１２７】
図１４は、金庫選択画面の一例を示した説明図である。
【０１２８】
また、図５または図１１のステップ５ｇで、制御部１ｄが操作パネル１ｃに表示させる入庫情報選択画面は、図８に示した画面に限るものではない。
【０１２９】
図１５は、制御部１ｄが操作パネル１ｃに表示させる入庫情報選択画面の他の例を示した説明図である。図１５に示した入庫情報選択画面は、受付部１ａが受け付けた記録媒体４に記録されている情報のファイル名が表示され、入庫情報選択画面に示された情報の中で入庫したい情報をユーザが触れることにより、入庫情報の選択が行われる。
【０１３０】
図１６は、制御部１ｄが操作パネル１ｃに表示させる入庫情報選択画面のさらに他の例を示した説明図である。図１６に示した入庫情報選択画面は、受付部１ａが受け付けた記録媒体４が情報を階層的に記録している場合、受付部１ａが受け付けた記録媒体４に記録されている情報のファイル名とともに、その階層状態も表示する。図１６に示した入庫情報選択画面は、図１５に示した入庫情報選択画面と同様に、入庫情報選択画面に示された情報の中で入庫したい情報をユーザが触れることにより、入庫情報の選択が行われる。
【０１３１】
また、図５または図１１のステップ５ｋで、制御部１ｄが操作パネル１ｃに表示させる出庫情報選択画面は、図９に示した画面に限るものではない。
【０１３２】
図１７は、制御部１ｄが操作パネル１ｃに表示させる出庫情報選択画面の他の例を示した説明図である。図１７に示した出庫情報選択画面は、認証情報検出部１ｂが検出した認証情報に割り当てられている情報保管領域２ａに保管されている情報のファイル名が表示され、出庫情報選択画面に示された情報の中で出庫したい情報をユーザが触れることにより、出庫情報の選択が行われる。
【０１３３】
図１８は、制御部１ｄが操作パネル１ｃに表示させる出庫情報選択画面のさらに他の例を示した説明図である。図１８に示した出庫情報選択画面は、認証情報検出部１ｂが検出した認証情報に割り当てられている情報保管領域２ａに情報が階層的に保管されている場合、該情報保管領域２ａに保管されている情報のファイル名とともに、その階層状態も表示する。図１８に示した出庫情報選択画面は、図１７に示した出庫情報選択画面と同様に、出庫情報選択画面に示された情報の中で出庫したい情報をユーザが触れることにより、出庫情報の選択が行われる。
【０１３４】
次に、他の実施例を説明する。
【０１３５】
図１９は、本発明の他の実施例の情報貸金庫システムを示したブロック図である。なお、図１９において、図１または図３と同一のものには同一符号を附してある。
【０１３６】
図１９において、情報貸金庫システムは、情報入出力装置１０と、制御部１ｄと、情報保管部２とを含む。なお、情報入出力装置１０の外観は、図１に示した情報入出力装置１と同様である。
【０１３７】
図２０は、図１９に示した情報貸金庫システムの一例を示したブロック図である。なお、図２０において、図１または図２または図１９と同一構成のものには、同一符号を付してある。
【０１３８】
図２０において、情報入出力装置１０は、受付部１ａと、認証情報検出部１ｂと、情報入力部１ｃと、通信部６とを含む。通信部６は、コンピュータ６ａとメモリ６ｂとを含む。
【０１３９】
通信部６は、受付部１ａから出力された記録媒体受付信号を受け付けると、受け付けた記録媒体受付信号を行内通信網３を介して制御部１ｄに送信する。また、通信部６は、認証情報検出部１ｂから出力された認証情報を受け付けると、受け付けた認証情報を行内通信網３を介して制御部１ｄに送信する。また、通信部６は、操作パネル１ｃから出力されたユーザ認証情報を受け付けると、受け付けたユーザ認証情報を行内通信網３を介して制御部１ｄに送信する。また、通信部６は、ユーザが操作パネル１ｃを操作することによった入力された情報を行内通信網３を介して制御部１ｄに送信する。
【０１４０】
また、通信部６は、制御部１ｄの出力を行内通信網３を介して受け付け、受け付けた制御部１ｄの出力を、受付部１ａまたは操作パネル１ｃに出力する。
【０１４１】
なお、本実施例では、通信部６が行う制御は、実際には、コンピュータ６ａが行う。メモリ６ｂは、通信部６ａが行う動作をコンピュータ６に実行させるプログラムが記録されている。コンピュータ６ａは、メモリ６ｂに記録されているプログラムを読み出し、読み出したプログラムにしたがって通信部６が行う動作を実行する。
【０１４２】
なお、図１９に示した実施例は図３に示した実施例における制御部１ｄのみを情報入出力装置１０の外部に設け、行内通信網３を介して制御部１ｄと情報入出力装置１０とを接続し、また、図３に示した実施例では行内通信網３を介して接続されていた制御部１ｄと情報保管部２とを直接接続したものである。このように行内通信網３を単なる接続線としてみると、図１９に示した実施例は図３に示したものと同じ構成のものとあり、その動作も同じとなる。よって、本発明の情報入出力装置は、情報入出力装置１０と、情報入出力装置１０と通信回線を介して接続する制御部１ｄとを含むものである。
【０１４３】
また、図１９に示す実施例では１つの制御部１ｄに対して１つの情報入出力装置１０を設ける例であるが、行内通信網３を介して制御部１ｄと情報入出力装置１０を接続していることから１つの制御部１ｄに対して複数の情報入出力装置１０を設けることが可能となり、このような構成とした場合には、図１９に示す実施例は図３に示した実施例とは異なるシステムとなる。
【０１４４】
次に、図２０に示した情報貸金庫システムの動作を説明する。
【０１４５】
図２０に示した情報貸金庫システムの動作は、制御部１ｄが、受付部１ａおよび認証情報検出部１ｂおよび操作パネル１ｃとの間で信号のやり取りを行う際、通信部６と行内通信網３とを介して該信号のやり取りを行う点を除いて、図５または図１１を参照して既に説明した動作と同様である。
【０１４６】
本実施例によれば、制御部１ｄを情報入出力装置１０と別体としているので、１つの制御部１ｄで複数の情報入力装置１０を制御することが可能となる。
【０１４７】
また、情報入力装置１０が現金自動取扱機１０１を含む（例えば、情報入力装置１０と現金自動取扱機１０１とが共通の枠体を使用している装置）ようにしてもよい。この場合、情報入出力装置で、お金の預け入れと情報の預け入れとを行うことが可能となる。例えば、いわゆるコンビニエンスストアに設置されている現金自動取扱機１０１を情報入力装置１０が含むようにしてもよい。
【０１４８】
以上説明した各実施例において、図示した構成は単なる一例であって、本発明はその構成に限定されるものではない。
【産業上の利用可能性】
【０１４９】
銀行に備え付けられた現金自動取扱機を利用してお金の預け入れおよびお金の引き出しを行うときの操作と同じような操作で、情報の預け入れおよび情報の引き出しを行うことができる情報貸金庫システムに適用できる。
【図面の簡単な説明】
【０１５０】
【図１】本発明の一実施例の情報貸金庫システムを示したブロック図である。
【図２】図１に示した情報入出力装置の外観の一例を示した説明図である。
【図３】図１に示した情報貸金庫システムの一例を示したブロック図である。
【図４】図１に示した情報貸金庫システムが有する認証システムの一例を示したブロック図である。
【図５】図１に示した情報貸金庫システムの動作を説明するためのフローチャートである。
【図６】図１に示した操作パネルの表示画面の一例を示した説明図である。
【図７】図１に示した操作パネルの表示画面の他の例を示した説明図である。
【図８】図１に示した操作パネルの表示画面の他の例を示した説明図である。
【図９】図１に示した操作パネルの表示画面の他の例を示した説明図である。
【図１０】図１に示した操作パネルの表示画面の他の例を示した説明図である。
【図１１】本実施例の情報貸金庫システムの動作を説明するためのフローチャートである。
【図１２】図１に示した操作パネルの表示画面の他の例を示した説明図である。
【図１３】図１に示した操作パネルの表示画面の他の例を示した説明図である。
【図１４】図１に示した操作パネルの表示画面の他の例を示した説明図である。
【図１５】図１に示した操作パネルの表示画面の他の例を示した説明図である。
【図１６】図１に示した操作パネルの表示画面の他の例を示した説明図である。
【図１７】図１に示した操作パネルの表示画面の他の例を示した説明図である。
【図１８】図１に示した操作パネルの表示画面の他の例を示した説明図である。
【図１９】本発明の他の実施例の情報貸金庫システムを示したブロック図である。
【図２０】図１９に示した情報貸金庫システムの一例を示したブロック図である。
【符号の説明】
【０１５１】
１      情報入出力装置
１ａ    受付部
１ａ１  ＣＤ受付部
１ａ２  ＤＶＤ受付部
１ａ３  ＦＤ受付部
１ａ４  ＭＯ受付部
１ａ５  リムーバブルディスク受付部
１ｂ    認証情報検出部
１ｃ    操作パネル
１ｄ    制御部
１ｄ１  コンピュータ
１ｄ２  メモリ
２      情報保管部
２ａ    情報保管領域
３      行内通信網
４      記録媒体
５      認証情報記録媒体
６      通信部
６ａ    コンピュータ
６ｂ    メモリ
１０      情報入出力装置
【図１】
2005063267.tif 000003
【図２】
2005063267.tif 000004
【図３】
2005063267.tif 000005
【図４】
2005063267.tif 000006
【図５】
2005063267.tif 000007
【図６】
2005063267.tif 000008
【図７】
2005063267.tif 000009
【図８】
2005063267.tif 000010
【図９】
2005063267.tif 000011
【図１０】
2005063267.tif 000012
【図１１】
2005063267.tif 000013
【図１２】
2005063267.tif 000014
【図１３】
2005063267.tif 000015
【図１４】
2005063267.tif 000016
【図１５】
2005063267.tif 000017
【図１６】
2005063267.tif 000018
【図１７】
2005063267.tif 000019
【図１８】
2005063267.tif 000020
【図１９】
2005063267.tif 000021
【図２０】
2005063267.tif 000022